(57)【要約】【課題】足場の外枠の隅部に垂直部材を立設することができ、特殊形状の足場板を使用することなく、手摺に沿って移動する安全帯を身に着けた作業者が足場の隅部を自由に移動できるようにする。【解決手段】直線状パイプ２０の端部が直線状パイプ２０の軸方向に連結される直線部２ｂ、２ｃと直線部２ｂ、２ｃに連続する湾曲部２ａを有する湾曲パイプ２と、湾曲パイプ２を支持し、湾曲パイプ２を足場の隅部の支柱１０に取り付けて固定する第１取付固定部３、第２取付固定部４を備え、第１取付固定部３、第２取付固定部４は、湾曲パイプ２の上部を支持するパイプ支持板３ａ、４ａを備えた手摺コーナー部材１。【選択図】図１
2019203307.tif 000002
【特許請求の範囲】
【請求項１】
間隙部を有するリング状のフレームと安全帯が係合する係合部を備えた安全帯取付具が移動可能に取り付けられる安全帯用手摺のコーナー部を形成する手摺コーナー部材であって、
前記コーナー部に連続する非コーナー部を形成する手摺部材の端部が該手摺部材の軸方向に連結される直線部と該直線部に連続する湾曲部を有する管状部と、
前記管状部を支持し、前記管状部を足場の隅部の垂直部材に取り付けて固定する取付固定部を備え、
前記取付固定部は、前記間隙部より小さい幅を有して前記管状部の上部を支持する管状部支持部を
備えていることを特徴とする手摺コーナー部材。
【請求項２】
前記垂直部材は、くさび式足場に使用されるポケット金具を備えた垂直部材であり、前記取付固定部は、前記ポケット金具に挿入されるくさび部を備えていることを特徴とする請求項１記載の手摺コーナー部材。
【請求項３】
前記垂直部材は、第１ポケット金具と該第１ポケット金具に直交する方向に設けられた第２ポケット金具を備え、
前記取付固定部は、前記第１ポケット金具のポケット部に嵌め込まれる第１くさび部を備えた第１取付固定部と、前記第２ポケット金具のポケット部に嵌め込まれる第２くさび部を備えた第２取付固定部とからなることを特徴とする請求項２記載の手摺コーナー部材。
【請求項４】
前記管状部には、前記安全帯取付具が前記管状部の円周方向に回転するのを防止する凸条部が設けられ、該凸条部は、前記間隙部より小さい幅を有していることを特徴とする請求項１乃至請求項３のいずれかに記載した手摺コーナー部材。
【請求項５】
間隙部を有するリング状のフレームと安全帯が係合する係合部を備えた安全帯取付具が移動可能に取り付けられる安全帯用手摺であって、
前記安全帯用手摺はコーナー部と該コーナー部に連続する非コーナー部を備え、
前記コーナー部を形成する手摺コーナー部材は、
前記非コーナー部を形成する手摺部材の端部が該手摺部材の軸方向に連結される直線部と該直線部に連続する湾曲部を有する管状部と、
前記管状部を支持し、前記管状部を足場の角部の垂直部材に取り付けて固定する取付固定部を備え、
前記取付固定部は、前記間隙部より小さい幅を有して前記管状部の上部を支持する管状部支持部を
備えていることを特徴とする安全帯用手摺。
【請求項６】
安全帯と、間隙部を有するリング状のフレームと該安全帯が係合する係合部を備えた安全帯取付具と、該安全帯取付具が移動可能に取り付けられる安全帯用手摺を備えた安全装置であって、
前記安全具用手摺はコーナー部と該コーナー部に連続する非コーナー部を備え、
前記コーナー部を形成する手摺コーナー部材は、
前記非コーナー部を形成する手摺部材の端部が該手摺部材の軸方向に連結される直線部と該直線部に連続する湾曲部を有する管状部と、
前記管状部を支持し、前記管状部を足場の角部の垂直部材に取り付けて固定する取付固定部を備え、
前記取付固定部は、前記間隙部より小さい幅を有して前記管状部の上部を支持する管状部支持部を
備えていることを特徴とする安全装置。
【請求項７】
前記リング状のフレームはＣ字状のフレームであり、
前記安全帯取付具は、前記フレームの端部に取り付けられた一対の円筒状の回転体を備えていることを特徴とする請求項７記載の安全装置。
【発明の詳細な説明】
【技術分野】
【０００１】
本発明は、足場等において、安全帯が係合された安全帯取付具が移動可能に取り付けられる手摺のコーナー部を形成する手摺コーナー部材、安全帯取付具が移動可能に取り付けられる安全帯用手摺、安全帯と安全帯取付具と手摺とからなる安全装置に関するものである。
【背景技術】
【０００２】
建築工事では各種足場が使用されるが、足場は、垂直材となる支柱（建地）と各種水平材、足場板、階段等が組み合わされて構成される。
作業者は、足場板を移動しながら作業を行うが、中層、上層部には手摺が設けられ、作業者は安全帯を身に着け、足場板等を踏み外しても地面に落下しないようにする等して、作業者の安全が図られている。
この場合、安全帯を身に着けた作業者が自由に移動できるようにするため、安全帯のロープ部の一端をパイプからなる手摺等に移動可能に取り付けた安全具が提案されている。
例えば、特許文献１（特許第５９３５１１１号公報）には、足場に安全帯を取り付けるために使用される足場用安全帯取付具であって、足場用パイプと同軸に前記足場用パイプの先端に取り付けられる管状の管状部と、前記管状部に設けられると共に前記足場を構成する部材に取り付けられる取付板部とを備える取付部材と、前記管状部の軸方向に沿って移動自在に前記管状部に係止可能な係止部と、前記係止部が前記管状部に係止した際に前記管状部に対して間隔を有して対向すると共に前記安全帯が係合可能な係合部とを備え、前記管状部に着脱自在に懸架される金具とを有する足場用安全帯取付具が本出願人によって開示されている。
特許文献１においては、建地（支柱）に取付部材の取付板部が取り付けられ、管状部に手摺となる足場用パイプが接続され、この管状部に着脱自在に懸架され、安全帯のフックが係合された金具が、手摺に沿って移動することができ、安全帯を身に着けた作業者は、建地（支柱）間を自由に移動することができる。
しかしながら、特許文献１の管状部には同一方向に設置される手摺しか接続できないことから、足場のコーナー部（隅部）に立設され、手摺が直交するように取り付けられる建地（支柱）には、特許文献１の管状部を取り付けることができず、特許文献１の足場用安全帯取付具では、安全帯を身に着けた作業者が足場のコーナー部を自由に移動できないという問題がある。
【０００３】
一方、足場のコーナー部（隅部）の手摺等の形状に関し、特許文献２（特開平９−２９２７０６号公報）には、仮設用手摺のコーナー部の安全性を確保すると共に、簡単、確実に取付ができ、しかも、保管し易い接合材を提供することを目的（課題）として、コーナー部に沿って円弧状に折り曲げた鋼管の両端に直線部を形成すると共に、それら直線部に鋼管の中心に向かって突出する掛止片を対向してそれぞれ形成した仮設手摺用コーナ部の接合材が開示されている。
また、特許文献３（特開平１１−２４７４３３号公報）には、コーナ部において、手摺材または布材の先端部がはみ出すことがなく、美観に優れた足場用弧状コーナ接続部材を提供すること等を課題として、足場用弧状コーナ接続部材であって、全体として円弧状であり、両端がほぼ直交する２方向に位置し、かつ、接続部となっており、断面形状が全長にわたってほぼ同じである足場用弧状コーナ接続部材が開示されている。
しかしながら、特許文献２においては、仮設手摺用コーナ部の接合材となる円弧状の鋼管に単管ジョイントＢ、Ｄを介して水平部材Ａ、Ｅが固定され、この水平部材Ａ、Ｅが支柱等の垂直部材に取り付けられることから（引用文献２の図４参照）、水平部材Ａ、Ｅの延長線が交差する位置、すなわち、足場を形成する外枠の角部に垂直部材（支柱等）が存在しないこととなる。
この足場の外枠の隅部（コーナー部）に立設する垂直部材（支柱等）は、足場を組み立てる際に多数の垂直部材を配置する基準となるものであり、筋交い等の斜材を取り付ける際に必要なものであり、足場板を設置するための水平材を取り付ける際にも必要なものである。
特に、盛替えや組み替えが簡単にでき、建物の形状に容易に対応できる足場として、広く利用されているくさび緊結式足場（以下単に「くさび式足場」という。）においては、足場の外枠の角部に立設する垂直部材（支柱等）は、不可欠なものである。
よって、特許文献２の仮設手摺用コーナ部の接合材を使用した足場では、足場の外枠の隅部に垂直部材が立設されず、足場を組み立てる際の垂直部材の配置、筋交い等の斜材の取付け、場板を設置するための水平材の取付け等に支障をきたすという問題がある。
また、特許文献３においては、足場用弧状コーナ接続部材の両端部が建地材用結合部材によって建地材に固定されると共に、この両端部が接続部となってジョイントを介して手摺材に接続されており（引用文献の図４、５、９参照）、足場用弧状コーナ接続部材を使用した足場では、足場の外枠の角部に建地材（垂直部材）が立設されず、特許文献２と同様に、足場を組み立てる際の建地材（垂直部材）の配置、筋交い等の斜材の取付け、足場板を設置するための水平材の取付け等に支障をきたすという問題がある。
さらに、特許文献３の足場用弧状コーナ接続部材を使用した足場では、コーナー部に扇形形状の足場布板という特殊な形状の足場板を使用する必要があり、通常の長方形状の足場布板のみで足場板を形成できないという問題がある。
【先行技術文献】
【特許文献】
【０００４】
【特許文献１】特許第５９３５１１１号公報
【特許文献２】特開平９−２９１７０６号公報
【特許文献３】特開平１１−２４７４３３号公報
【発明の概要】
【発明が解決しようとする課題】
【０００５】
本発明が解決しようとする課題は、足場の外枠の隅部に垂直部材を立設することができ、特殊形状の足場板を使用することなく、手摺に沿って移動する安全帯を身に着けた作業者が足場の隅部を自由に移動できるようにすることである。
【課題を解決するための手段】
【０００６】
請求項１の発明は、間隙部を有するリング状のフレームと安全帯が係合する係合部を備えた安全帯取付具が移動可能に取り付けられる安全帯用手摺のコーナー部を形成する手摺コーナー部材であって、前記コーナー部に連続する非コーナー部を形成する手摺部材の端部が該手摺部材の軸方向に連結される直線部と該直線部に連続する湾曲部を有する管状部と、前記管状部を支持し、前記管状部を足場の隅部の垂直部材に取り付けて固定する取付固定部を備え、前記取付固定部は、前記間隙部より小さい幅を有して前記管状部の上部を支持する管状部支持部を備えている手摺コーナー部材を提供して、上記課題を解決するものである。
【０００７】
請求項２の発明は、前記垂直部材は、くさび式足場に使用されるポケット金具を備えた垂直部材であり、前記取付固定部は、前記ポケット金具に挿入されるくさび部を備えている手摺コーナー部材を提供して、上記課題を解決するものである。
【０００８】
請求項３の発明は、前記垂直部材は、第１ポケット金具と該第１ポケット金具に直交する方向に設けられた第２ポケット金具を備え、前記取付固定部は、前記第１ポケット金具のポケット部に嵌め込まれる第１くさび部を備えた第１取付固定部と、前記第２ポケット金具のポケット部に嵌め込まれる第２くさび部を備えた第２取付固定部とからなる手摺コーナー部材を提供して、上記課題を解決するものである。
【０００９】
請求項４の発明は、前記管状部には、前記安全帯取付具が前記管状部の円周方向に回転するのを防止する凸条部が設けられ、該凸条部は、前記間隙部より小さい幅を有している手摺コーナー部材を提供して、上記課題を解決するものである。
【００１０】
請求項５の発明は、間隙部を有するリング状のフレームと安全帯が係合する係合部を備えた安全帯取付具が移動可能に取り付けられる安全帯用手摺であって、前記安全帯用手摺はコーナー部と該コーナー部に連続する非コーナー部を備え、前記コーナー部を形成する手摺コーナー部材は、前記非コーナー部を形成する手摺部材の端部が該手摺部材の軸方向に連結される直線部と該直線部に連続する湾曲部を有する管状部と、前記管状部を支持し、前記管状部を足場の角部の垂直部材に取り付けて固定する取付固定部を備え、前記取付固定部は、前記間隙部より小さい幅を有して前記管状部の上部を支持する管状部支持部を備えている安全帯用手摺を提供して、上記課題を解決するものである。
【００１１】
請求項６の発明は、安全帯と、間隙部を有するリング状のフレームと該安全帯が係合する係合部を備えた安全帯取付具と、該安全帯取付具が移動可能に取り付けられる安全帯用手摺を備えた安全装置であって、前記安全具用手摺はコーナー部と該コーナー部に連続する非コーナー部を備え、前記コーナー部を形成する手摺コーナー部材は、前記非コーナー部を形成する手摺部材の端部が該手摺部材の軸方向に連結される直線部と該直線部に連続する湾曲部を有する管状部と、前記管状部を支持し、前記管状部を足場の角部の垂直部材に取り付けて固定する取付固定部を備え、前記取付固定部は、前記間隙部より小さい幅を有して前記管状部の上部を支持する管状部支持部を備えている安全装置を提供して、上記課題を解決するものである。
【００１２】
請求項７の発明は、前記リング状のフレームはＣ字状のフレームであり、前記安全帯取付具は、前記フレームの端部に取り付けられた一対の円筒状の回転体を備えている安全装置を提供して、上記課題を解決するものである。
【発明の効果】
【００１３】
請求項１に記載の発明の手摺コーナー部材においては、足場の外枠の隅部に垂直部材を立設することができ、特殊形状の足場板を使用することなく、手摺に沿って移動する安全帯を身に着けた作業者が足場の隅部を自由に移動できるという効果を奏する。
【００１４】
請求項２に記載の発明の手摺コーナー部材においては、くさび式足場の外枠の隅部に垂直部材を立設することができ、特殊形状の足場板を使用することなく、手摺に沿って移動する安全帯を身に着けた作業者がくさび式足場の隅部を自由に移動できるという効果を奏する。という効果を奏する。
【００１５】
請求項３に記載の発明の手摺コーナー部材においては、さらに、手摺コーナー部材をくさび式足場の外枠の隅部に立設された垂直部材に、強固に取り付けられるという効果を奏する。
【００１６】
請求項４に記載の発明の手摺コーナー部材においては、さらに、手摺コーナー部材を移動する安全帯取付具が大きく傾かないという効果を奏する。
【００１７】
請求項５に記載の発明の安全帯用手摺においては、足場の外枠の隅部に垂直部材を立設することができ、特殊形状の足場板を使用することなく、手摺に沿って移動する安全帯を身に着けた作業者が足場の隅部を自由に移動できるという効果を奏する。
【００１８】
請求項６に記載の発明の安全装置においては、足場の外枠の隅部に垂直部材を立設することができ、特殊形状の足場板を使用することなく、手摺に沿って移動する安全帯を身に着けた作業者が足場の隅部を自由に移動できるという効果を奏する。
【００１９】
請求項７に記載の発明の安全装置においては、さらに、安全帯取付具が安全帯用手摺に沿って抵抗なく円滑に移動するという効果を奏する。
【図面の簡単な説明】
【００２０】
【図１】本発明の手摺コーナー部材の斜視図である。
【図２】図１に示す手摺コーナー部材の平面図である。
【図３】図１に示す手摺コーナー部材の正面図である。
【図４】図１に示す手摺コーナー部材の左側面図である。
【図５】くさび式足場の隅部に使用される支柱の斜視図と平面図である。
【図６】支柱１０に手摺コーナー部材１を取り付けた状態の斜視図である。
【図７】支柱１０に手摺コーナー部材１を取り付けた状態の平面図である。
【図８】安全帯用手摺の非コーナー部を形成する手摺部材となる直線状パイプの斜視図である。
【図９】摺コーナー部材１の湾曲パイプ２と直線状パイプ２０を連結する連結パイプの斜視図である。
【図１０】湾曲パイプ２と直線状パイプ２０を連結パイプ２２で連結した状態のパイプの軸方向の縦断面図である。
【図１１】安全帯用手摺の非コーナー部において、直線状パイプ２０同士を連結すると共に、連結した直線状パイプ２０を垂直部材（支柱）に取り付けて固定する連結取付固定部材の斜視図である。
【図１２】くさび式足場における安全帯用手摺の一部を表した斜視図である。
【図１３】図１２の安全帯用手摺の平面図である。
【図１４】摺コーナー部材１の湾曲パイプ２の直線部２ｂに安全帯取付具を取り付けた状態の正面図である。
【図１５】図１４に示す安全帯取付具の平面図である。
【図１６】図１４に示す安全帯取付具の左側面図である。
【図１７】図１５のＸ−Ｘ断面図である。
【図１８】手摺コーナー部材１と安全帯取付具３１の各部の寸法の大小関係等を説明するための説明図である。
【図１９】図１２に示す安全帯用手摺に安全帯取付具３１を取り付け、作業者が身に着けた安全帯を安全帯取付具３１に係合させた状態の正面図である。
【図２０】安全帯４０のフック部４４の正面図である。
【発明を実施するための形態】
【００２１】
［手摺コーナー部材］
図１は、本発明の手摺コーナー部材の斜視図、図２は、図１に示す手摺コーナー部材の平面図、図３は、図１に示す手摺コーナー部材の正面図、図４は、図１に示す手摺コーナー部材の左側面図である。
図中、１は手摺コーナー部材、２は湾曲パイプ、２ａは湾曲部、２ｂ、２ｃは直線部、２ｄ、２ｅは丸穴、３は第１取付固定部、４は第２取付固定部、３ａ、４ａはパイプ支持板、３ｂ、４ｂは枠体、３ｃ、４ｃはアーム、３ｄは第１くさび部、４ｄは第２くさび部、５ａは湾曲凸条部、５ｂ、５ｃは直線凸条部である。
図に示すように手摺コーナー部材１は、湾曲パイプ２、第１取付固定部３及び第２取付固定部４等から構成される。
湾曲パイプ２は、本発明の管状部となるもので、湾曲部２ａと、湾曲部２ａに連続する直線部２ｂ、２ｃを備えている。
第１取付固定部３は、パイプ支持板３ａと、パイプ支持板３ａに溶接等で接合された箱状の枠体３ｂと、枠体３ｂに一端が溶接等で接合されたアーム３ｃと、アーム３ｃの他端に溶接等で接合された第１くさび部３ｄとから構成される。
第２取付固定部４は、第１取付固定部３と同様にして、パイプ支持板４ａ、箱状の枠体４ｂ、アーム４ｃ及び第２くさび部４ｄとから構成されるが、パイプ支持板４ａ、箱状の枠体４ｂ、アーム４ｃの寸法は、第１取付固定部３のパイプ支持板３ａ、箱状の枠体３ｂ、アーム３ｃの寸法と少し異なっている。
パイプ支持板３ａは本発明の管状部支持部となるもので、その下面は、直線部２ｂの湾曲部２ａ側の位置、あるいは、直線部２ｂと湾曲部２ａの境界付近の直線部２ｂ側の位置で、湾曲パイプ２の最上部に溶接等で接合されている。
パイプ支持板４ａも本発明の管状部支持部となるもので、その下面は、直線部２ｃの湾曲部２ａ側の位置、あるいは、直線部２ｃと湾曲部２ａの境界付近の直線部２ｃ側の位置で、湾曲パイプ２の最上部に溶接等で接合されている。
また、湾曲パイプ２の最上部においては、直線部２ｂには直線凸条部５ｂが設けられ、湾曲部２ａには湾曲凸条部５ａが設けられ、直線部２ｃには直線凸条部５ｃが設けられており、これらの湾曲凸条部５ａ、直線凸条部５ｂ、５ｃは、本発明の凸条部となるものである。
さらに、パイプ支持板３ａと直線凸条部５ｂの間には、湾曲パイプ２を垂直方向に貫通する丸穴２ｄが設けられ、パイプ支持板４ａと直線凸条部５ｃの間には、湾曲パイプ２を垂直方向に貫通する丸穴２ｅが設けられている。
そして、手摺コーナー部材１は、本発明の安全帯用手摺のコーナー部を形成し、くさび式足場の隅部（コーナー部）に立設される垂直部材（後述する）に取り付けられ、安全帯用手摺には、間隙部を有するリング状のフレームと安全帯が係合する係合部を備えた安全帯取付具（後述する）が移動可能に取り付けられる。
この場合、パイプ支持板３ａ、４ｂ、湾曲凸条部５ａ、直線凸条部５ｂ、５ｃは、いずれも安全帯取付具のフレームの間隙部より小さい幅を有し、安全帯用手摺を移動する安全帯取付具が、パイプ支持板３ａ、４ｂ、湾曲凸条部５ａ、直線凸条部５ｂ、５ｃが設けられた部分を移動できるようになっている。
また、湾曲凸条部５ａ、直線凸条部５ｂ、５ｃは、手摺コーナー部材１の湾曲パイプ２上を移動する安全帯取付具が、湾曲パイプ２の円周方向に回転して大きく傾くのを防止する回り止めとして機能する。
【００２２】
［垂直部材］
次に、本発明の手摺コーナー部材が取り付けられる垂直部材について説明する。
図５は、くさび式足場の隅部に使用される支柱を表した図で、同図（ａ）は斜視図、同図（ｂ）は平面図であり、図中、１０は支柱、１１は垂直パイプ、１２（１２ａ〜１２ｄ）はポケット金具、１３（１３ａ〜１３ｄ）はポケット部である。
支柱１０は、本発明における垂直部材となるもので、図５に示すように、垂直パイプ１１とポケット金具１２（１２ａ〜１２ｄ）等から構成され、垂直パイプ１１は、ジャッキベース（図示せず）を介して地面に設置される。
ポケット金具１２は水平断面がコの字状をしており、４個のポケット金具１２が垂直パイプ１１の円周方向に段差を持って９０度置きに配置され、すなわち、垂直パイプ１１を挟んで向き合うポケット金具１２ａと１２ｃが同じ高さの位置に配置され、ポケット金具１２ｂと１２ｄがポケット金具１２の高さ分下がった位置に配置されて、これらの４個のポケット金具１２が垂直パイプ１１の円周面に接合されている。
これらの４個のポケット金具１２のうち、ポケット金具１２ａが、本発明の第１ポケット金具となり、ポケット金具１２ｂが、本発明の第２ポケット金具となり、ポケット金具１２ｂはポケット金具１２ａに直交する方向に設けられている。
また、これら４個のポケット金具１２は、垂直パイプ１１の垂直方向に一定の間隔で設けられている。
そして、各ポケット金具１２（１２ａ〜１２ｄ）と垂直パイプ１１の円周面との間にポケット部１３（１３ａ〜１３ｄ）が形成され、このポケット部１３（１３ａ〜１３ｄ）には、くさび式足場に使用される手摺等の各種水平材のくさび部が嵌め込まれる。
【００２３】
図６は、支柱１０に手摺コーナー部材１を取り付けた状態の斜視図、図７は、支柱１０に手摺コーナー部材１を取り付けた状態の平面図である。
図に示すように、第１取付固定部３の第１くさび部３ｄが、垂直パイプ１１のポケット金具１２ａ（第１ポケット金具）のポケット部１３ａに嵌め込まれ、第２取付固定部４の第２くさび部４ｄが、垂直パイプ１１のポケット金具１２ｂ（第２ポケット金具）のポケット部１３ｂに嵌め込まれる。
これにより、くさび式足場の隅部において、手摺コーナー部材１が支柱１０に取り付けられる。
なお、本発明の手摺コーナー部材は、くさび式足場の支柱（垂直部材）に取り付けられるものに限定されず、ポケット金具が設けられていない単管パイプの支柱（垂直部材）を使用した足場における隅部の支柱に取り付けられるものであってもよい。
【００２４】
［安全帯用手摺］
次に、本発明の安全帯用手摺について説明する。
安全帯用手摺は、コーナー部とこのコーナー部に連続する非コーナー部を有し、前述のように手摺コーナー部材１が安全帯用手摺のコーナー部を形成する。
図８は、安全帯用手摺の非コーナー部を形成する手摺部材となる直線状パイプの斜視図であり、図中、２０は直線状パイプ、２０ａは長穴、２０ｂは丸穴、２１ａ、２１ｂは直線凸条部である。
図８に示すように、直線状パイプ２０の最上部においては、一端側から順に、直線状パイプ２０を垂直方向に貫通する長穴２０ａ、直線状パイプ２０の全長近くに渡って延びる長い直線凸条部２１ａ、直線状パイプ２０を垂直方向に貫通する丸穴２０ｂ、短い直線凸条部２１ｂが設けられている。
この場合、直線凸条部２１ａ、２１ｂは、安全帯取付具のフレームの間隙部より小さい幅を有し、安全帯用手摺を移動する安全帯取付具が、直線状パイプ２０の直線凸条部２１ａ、２１ｂが設けられた部分を移動できるようになっている。
そして、直線凸条部２１ａ、２１ｂは、直線状パイプ２０上を移動する安全帯取付具が、直線状パイプ２０の円周方向に回転して大きく傾くのを防止する回り止めとして機能する。
図９は、手摺コーナー部材１の湾曲パイプ２と直線状パイプ２０を連結する連結パイプの斜視図であり、図中、２２は連結パイプ、２２ａ、２２ｂは丸穴である。
図９に示すように、連結パイプ２２の両端部近傍には、連結パイプ２２を貫通する丸穴２２ａ、２２ｂが設けられている。
【００２５】
図１０は、湾曲パイプ２と直線状パイプ２０を連結パイプ２２で連結した状態のパイプの軸方向の縦断面図であり、同図（ａ）は、連結パイプ２２に湾曲パイプ２と直線状パイプ２０を嵌め込んだ状態を示し、同図（ｂ）は、連結パイプ２２に湾曲パイプ２と直線状パイプ２０を固定した状態を示しており、図中、２６は皿ボルト、２７はナットである。
図１０（ａ）に示すように、湾曲パイプ２の直線部２ｂ（２ｃ）の内側に連結パイプ２２の一方側が嵌め込まれ、直線部２ｂ（２ｃ）の丸穴２ｄ（２ｅ）と連結パイプ２２の丸穴２２ａの位置が合わせられる。
また、直線状パイプ２０の長穴２０ａが設けられた方の内側に連結パイプ２２の他方側が嵌め込まれ、直線状パイプ２０の長穴２０ａと連結パイプ２２の丸穴２２ｂの位置が合わせられる。
そして、図１０（ｂ）に示すように、丸穴２ｄ（２ｅ）と丸穴２２ａに皿ボルト２６が通され、皿ボルト２６にナット２７が螺合されて湾曲パイプ２と連結パイプ２２が固定される。
また、長穴２０ａと丸穴２２ｂに皿ボルト２６が通され、皿ボルト２６にナット２７が螺合されて直線状パイプ２０と連結パイプ２２が固定される。
このようにして、手摺コーナー部材１の湾曲パイプ２と直線状パイプ２０が連結パイプ２２により連結される
【００２６】
図１１は、安全帯用手摺の非コーナー部において、直線状パイプ２０同士を連結すると共に、連結した直線状パイプ２０を垂直部材（支柱）に取り付けて固定する連結取付固定部材の斜視図である。
図中、２３は連結取付固定部材、２４は連結部、２４ａは中央パイプ部、２４ｂ、２４ｃは嵌め込みパイプ部、２４ｄ、２４ｅは丸穴、２４ｋは切欠き部、２５は取付固定部、２５ａはパイプ支持板、２５ｂは窓孔、２５ｃはアーム、２５ｄはくさび部、ＨＳは幅狭部である。
図１１に示すように、連結取付固定部材２３は、連結部２４と取付固定部２５等から構成される。
連結部２４は、中央パイプ部２４ａと嵌め込みパイプ部２４ｂ、２４ｃからなり、中央パイプ部２４ａの両端部に嵌め込みパイプ部２４ｂ、２４ｃが挿入されて溶接等で接合されている。
中央パイプ部２４ａには、パイプの中央下部が大きく除去された切欠き部２４ｋが形成され、嵌め込みパイプ部２４ｂ、２４ｃには、嵌め込みパイプ部２４ｂ、２４ｃを貫通する丸穴２４ｄ、２４ｅが設けられている。
取付固定部２５は、パイプ支持板２５ａと、パイプ支持板２５ａに一端が溶接等で接合されたアーム２５ｃと、アーム３ｃの他端に溶接等で接合されたくさび部２５ｄとから構成される。
パイプ支持板２５ａには窓孔２５ｂが設けられ、その下面は、中央パイプ部２４ａのほぼ全長に渡ってその最上部に溶接等で接合されている。
この場合、パイプ支持板２５ａは、安全帯取付具のフレームの間隙部より小さい幅を有し、安全帯用手摺を移動する安全帯取付具が、中央パイプ部２４ａの部分を移動できるようになっている。
また、切欠き部２４ｋと窓孔２５ｂにより、連結取付固定部材２３には幅が狭くなっている幅狭部ＨＳが形成され、この幅狭部ＨＳにおいて、間隙部を有するリング状のフレームを備えた安全帯取付具と連結取付固定部材２３の着脱ができるようになっている。
なお、連結取付固定部材は、くさび式足場の支柱（垂直部材）に取り付けられるものに限定されず、ポケット金具が設けられていない単管パイプの支柱（垂直部材）を使用した足場の支柱に取り付けられるものであってもよい。
【００２７】
図１２は、くさび式足場における安全帯用手摺の一部を表した斜視図であり、図１３は、図１２の安全帯用手摺の平面図であり、図中、１４は支柱、１５は垂直パイプ、１６ａはポケット金具である。
図に示すように、くさび式足場の隅部に立設された支柱１０には手摺コーナー部材１が取り付けられ、支柱１０の隣りに立設された支柱１４には連結取付固定部材２３が取り付けられている。
すなわち、手摺コーナー部材１において、第１取付固定部３の第１くさび部３ｄが、支柱１０のポケット金具１２ａのポケット部に嵌め込まれ、第２取付固定部４の第２くさび部４ｄが、支柱１０のポケット金具１２ｂのポケット部に嵌め込まれ、連結取付固定部材２３において、支柱１４の垂直パイプ１５の周面に設けられたポケット金具のうち、ポケット金具１６ｂのポケット部に、取付固定部２５のくさび部２５ｄが嵌め込まれている。
また、手摺コーナー部材１の湾曲パイプ２と直線状パイプ２０の一端が連結パイプ２２で連結されて、皿ボルト２５で固定されている（図１０参照）。
さらに、直線状パイプ２０の他端が、連結取付固定部材２３の嵌め込みパイプ部２４ｂに嵌め込まれて皿ボルト２６で固定され、直線状パイプ２０と連結取付固定部材２３の連結部２４が連結されている。
この場合、皿ボルト２６による直線状パイプ２０の他端と嵌め込みパイプ部２４ｂの固定方法は、図１０に示す湾曲パイプ２の直線部２ｂと連結パイプ２２の固定方法と同じである。
そして、図には示していないが、手摺コーナー部材１の湾曲パイプ２の直線部２ｂには、直線状パイプ２０の一端が連結パイプ２２により連結され、連結取付固定部材２３の連結部２４の嵌め込みパイプ部２４ｃには、直線状パイプ２０の一端が嵌め込まれて連結される。
このようにくさび式足場においては、隅部に立設された支柱には手摺コーナー部材１が取り付けられ、隅部以外の位置に立設された支柱には連結取付固定部材２３が取り付けられ、手摺コーナー部材１と連結取付固定部材２３の各々に直線状パイプ２０が連結され、湾曲パイプ２と直線状パイプ２０が繋がって、直線状パイプ２０同士が繋がった連続した安全帯用手摺が構成される。
なお、手摺コーナー部材や連結取付固定部材は、くさび式足場の支柱（垂直部材）に取り付けられるものに限定されず、ポケット金具が設けられていない単管パイプの支柱（垂直部材）に取り付けられるものであってもよいことから、本発明の安全帯用手摺は、くさび式足場に使用されるものに限定されず、単管パイプの支柱（垂直部材）を立設した足場に使用されるものであってもよい。
【００２８】
［安全帯取付具］
次に、本発明の安全帯用手摺に取り付けられる安全帯取付具について説明する。
図１４は、手摺コーナー部材１の湾曲パイプ２の直線部２ｂに安全帯取付具を取り付けた状態の正面図、図１５は、図１４に示す安全帯取付具の平面図、図１６は図１４に示す安全帯取付具の左側面図、図１７は、図１５のＸ−Ｘ断面図である。
図中、３１は安全帯取付具、３２はフレーム、３２ａ（３２ａ１、３２ａ２）はフレーム本体、３２ｂ（３２ｂ１、３２ｂ２）は端部、３２ｃは係合部、３２ｄは穴、３３（３３ａ、３３ｂ）はボールベアリング、３４（３４ａ、３４ｂ）は割りピンである。
図に示すように安全帯取付具３１は、リング状のフレームであるＣ字状のフレーム３２、一対のボールベアリング３３（３３ａ、３３ｂ）、割りピン３４（３４ａ、３４ｂ）を備えた構造となっている。
フレーム３２は、断面が円形のフレーム本体３２ａ（３２ａ１、３２ａ２）、端部３２ｂ（３２ｂ１、３２ｂ２）、端部３２ｂと対向する位置にあるリング状の係合部３２ｃから構成され、係合部３２ｃには穴３２ｄが形成されている。
フレーム３２は、鉄等の金属の鋳物に亜鉛メッキ等を施した一体物となっているが、フレーム本体３２ａを金属棒とし、この金属棒を曲げ加工して金属製の係合部３２ｃに溶接等で接合したものをフレーム３２としてもよい。
フレーム３２のＣ字状は、図に示すような円弧形状に限定するものではなく、五角形、六角形、八角形等の多角形の一頂点が離れているものであってもよい。
係合部３２ｃは、図に示すようなリング形状のものに限定されず、上側が開放されたＵ字形状のものであってもよい。
ボールベアリング３３は、本発明の円筒状の回転体となるもので、一方のボールベアリング３３ａがフレーム本体３２ａ１の端部３２ｂ１にはめ込まれ、他方のボールベアリング３３ｂが、フレーム本体３２ａ１の端部３２ｂ２にはめ込まれている。この場合、端部３２ｂの外径は、フレーム本体３２ａの外径より若干小さく、端部３２ｂが段付き部となり、ボールベアリング３３がフレーム本体３２ａ側に移動しないようになっている。
本発明の円筒状の回転体は、ボールベアリング３３に限定されるものでなく、ローラーベアリング、スリーブベアリング等であってもよい。
割りピン３４は、ボールベアリング３３の脱落を防止するもので、一方の割りピン３４ａが、端部３２ｂ１の先端部に設けられたピン穴に挿入され、他方の割りピン３４ｂが、端部３２ｂ２の先端部に設けられたピン穴に挿入されている。
【００２９】
図１８は、手摺コーナー部材１と安全帯取付具３１の各部の寸法の大小関係等を説明するための説明図であり、同図（ａ）は手摺コーナー部材１側の寸法を表し、同図（ｂ）は安全帯取付具３１の寸法を表している。
図中、ＧＡはフレーム３２の間隙部、Ａ１、Ａ２のボールベアリング３３の回転軸、ｄはボールベアリング３３ａとボールベアリング３３ｂの間隔、ｄ１は両ベアリングの下端の間隔、ｄ２は両ベアリングの上端の間隔、Ｄ１はフレーム３２の内径、Ｄ２は湾曲パイプ２（直線部２ｂ）の外径、ｔ１はパイプ支持板３ａの幅、ｔ２は直線凸条部５ｂの幅である。
安全帯取付具３１においては、フレーム３２の左右の端部が離間し、間隙部ＧＡが形成されている。
間隙部ＧＡは、フレーム３２の両端部の間の空間（隙間）と、ボールベアリング３３ａとボールベアリング３３ｂの間の空間（隙間）のうち、狭い方の空間をいうが、本実施形態においては、両空間の幅はほぼ同じであるため、間隙部ＧＡの大きさ（幅）は、ボールベアリング３３ａとボールベアリング３３ｂの間隔の最小値となる。
図１８に示すように、フレーム３２の内径Ｄ１は、湾曲パイプ２（直線部２ｂ）の外径Ｄ２より大きく、ボールベアリング３３ａとボールベアリング３３ｂは互いに向き合っており、両ベアリングの間隔ｄの最小値となるｄ１、すなわち、間隙部ＧＡの大きさ（幅）は、パイプ支持板３ａの幅ｔ１、直線凸条部５ｂの幅ｔ２よりも大きく、両ベアリングは、パイプ支持板３ａの幅ｔ１、直線凸条部５ｂの幅ｔ２以上に離間している。
ボールベアリング３３ａの回転軸Ａ１とボールベアリング３３ｂの回転軸Ａ２は交差し、両ベアリングの下端の間隔ｄ１は上端の間隔ｄ２より小さいことから、両ベアリングの間隔ｄは、フレーム３２の内側（下側）から外側（上側）にかけて広がっている（大きくなっている）。
間隙部ＧＡの大きさ（幅）となる間隔ｄの最小値ｄ１は、湾曲パイプ２（直線部２ｂ）の外径Ｄ２より小さく、間隔ｄは、湾曲パイプ２（直線部２ｂ）の外径Ｄ２より小さくなっている。
そして、手摺コーナー部材１において、パイプ支持板３ａとパイプ支持板３ａの幅は同じであり、湾曲凸条部５ａ、直線凸条部５ｂ、５ｃの幅は同じである。
また、安全手摺の非コーナー部において、直線状パイプ２０に設けられた直線凸条部２１ａ、２１ｂの幅、連結取付固定部材２３のパイプ支持板２５ａの幅は、安全帯取付具３１の間隙部ＧＡの大きさ（幅）より小さい、
【００３０】
以上より、安全用帯手摺に安全帯取付具３１を取り付けた場合、手摺コーナー部材１の湾曲パイプ２、直線状パイプ２０、連結取付固定部材２３の中央パイプ部２４ａ上をボールベアリング３３ａ、３３ｂが転がり、安全帯取付具３１が、パイプ支持板３ａ、４ａやパイプ支持板２５ａ、あるいは、湾曲凸条部５ａ、直線凸条部５ｂ、５ｃや直線凸条部２１ａ、２１ｂに衝突したりすることなく、湾曲パイプ２、直線状パイプ２０、中央パイプ部２４ａ上を抵抗なく円滑に移動することができる。
また、湾曲凸条部５ａ、直線凸条部５ｂ、５ｃ、直線凸条部２１ａ、２１ｂは、安全帯取付具３１のフレーム３２が湾曲パイプ２の円周方向に回転するのを防止する回り止めとし機能し、安全帯取付具３１は、大きく傾いたりすることなく湾曲パイプ２、直線状パイプ２０、中央パイプ部２４ａ上を移動することができる。
【００３１】
ここで、連結取付固定部材２３には、切欠き部２４ｋと窓孔２５ｂにより幅狭部ＨＳが形成されており、安全帯取付具３１の間隙部ＧＡが通過できるように幅狭部ＨＳの大きさ（幅）が設定されている。
これにより、幅狭部ＨＳにおいて、安全帯取付具３１と連結取付固定部材２３の着脱ができ、安全帯取付具３１を安全帯用手摺に取り付けたり、安全帯用手摺から安全帯取付具３１を取り外したりすることができる。
【００３２】
［安全装置］
次に、本発明の安全装置について説明する。
図１９は、図１２に示す安全帯用手摺に安全帯取付具３１を取り付け、作業者が身に着けた安全帯を安全帯取付具３１に係合させた状態の正面図であり、図中、４０は安全帯、４１はベルト、４２はベルト金具、４３はロープ、４４はフック部、５０は足場板、ＷＯは作業者である。
図１９に示すように安全帯４０は、ベルト４１、ベルト金具４２、ロープ４３及びフック部４４を備えて、作業者ＷＯの胴部に巻き付けられたベルト４１とロープ４３の一端がベルト金具４２によって連結され、ロープ４３の他端はフック部２４に取り付けられている。
図２０は、安全帯４０のフック部４４の正面図であり、図中、４４ａはフック部本体、４４ｂは閉じ金具、４４ｃはロープ取付金具である。
フック部４４においては、フック部本体４４ａの下部に閉じ金具４４ｂが回動自在に取り付けられ、フック部本体４４ａの下部に設けられた穴にロープ取付金具４４ｃが取り付けられている。
閉じ金具４４ｂはバネ（図示せず）によってその先端部がフック部本体４４ａの先端部に閉じ合されるようになっており、ロープ取付金具４４ｃにはロープ４３が取り付けられている。
足場板５０は、支柱１０に取り付けられた水平材（図示せず）に通常使用される踏板が取り付けられて形成される通常の形状の足場板であり、この足場板５０上を作業者ＷＯが移動する。
図１９に示すように、くさび式足場の隅部に立設された支柱１０には手摺コーナー部材１が取り付けられ、手摺コーナー部材１の湾曲パイプ２（直線部２ｃ）と直線状パイプ２０の一端が連結されて安全帯用手摺の一部が形成されている。
そして、湾曲パイプ２の直線部２ｃに安全帯取付具３１が取り付けられ、安全帯取付具３１の係合部３２ｃには、安全帯４０のフック部４４が引っ掛けられ、これにより、安全帯４０、安全帯取付具３１、安全帯用手摺を備えた本発明の安全装置が構成される。
【００３３】
本発明の安全装置においては、安全帯４０を身に着けた作業者ＷＯが移動すると、これに追随して安全帯取付具３１が作業者ＷＯの移動する方向に引っ張られ、手摺コーナー部材１の湾曲パイプ２や直線状パイプ２０上をボールベアリング３３ａ、３３ｂが転がって、安全帯取付具３１が移動する。
そして、安全帯取付具３１が移動しても、パイプ支持板３ａ、４ａ等に衝突することなく、また、湾曲凸条部５ａ、直線凸条部５ｂ、５ｃや直線凸条部２１ａ、２１ｂがあるため、安全帯取付具３１がパイプの円周方向に傾くことはない。
よって、安全帯４０を身に着けた作業者ＷＯは、足場の隅部を含めて通常の形状の足場板５０上を抵抗なく自由に移動することがでる。
【産業上の利用可能性】
【００３４】
本発明の手摺コーナー部材、安全帯用手摺及び安全装置は、足場の外枠の隅部に垂直部材を立設することができ、特殊形状の足場板を使用することなく、手摺に沿って移動する安全帯を身に着けた作業者が足場の隅部を自由に移動でき、各種足場等の安全帯を使用するものに利用できる。
【符号の説明】
【００３５】
１  手摺コーナー部材
２  湾曲パイプ
２ａ  湾曲部
２ｂ、２ｃ  直線部
２ｄ、２ｅ  丸穴
３  第１取付固定部
４  第２取付固定部
３ａ、４ａ  パイプ支持板
３ｂ、４ｂ  枠体
３ｃ、４ｃ  アーム
３ｄ  第１くさび部
４ｄ  第２くさび部
５ａ  湾曲凸条部
５ｂ、５ｃ  直線凸条部
１０  支柱
１１  垂直パイプ
１２、１２ａ、１２ｂ、１２ｃ、１２ｄ  ポケット金具
１３、１３ａ、１３ｂ、１３ｃ、１３ｄ  ポケット部
１４  支柱
１５  垂直パイプ
１６ａ  ポケット金具
２０  直線状パイプ
２０ａ  長穴
２０ｂ  丸穴
２１ａ、２１ｂ  直線凸条部
２２  連結パイプ
２２ａ、２２ｂ  丸穴
２３  連結取付固定部材
２４  連結部
２４ａ  中央パイプ部
２４ｂ、２４ｃ  嵌め込みパイプ部
２４ｄ、２４ｅ  丸穴
２４ｋ  切欠き部
２５  取付固定部
２５ａ  パイプ支持板
２５ｂ  窓孔
２５ｃ  アーム
２５ｄ  くさび部
２６  皿ボルト
２７  ナット
３１  安全帯取付具
３２  フレーム
３２ａ、３２ａ１、３２ａ２  フレーム本体
３２ｂ、３２ｂ１、３２ｂ２  端部
３２ｃ  係合部
３２ｄ  穴
３３、３３ａ、３３ｂ  ボールベアリング
３４、３４ａ、３４ｂ  割りピン
４０  安全帯
４１  ベルト
４２  ベルト金具
４３  ロープ
４４  フック部
５０  足場板
Ａ１、Ａ２  ボールベアリング３３の回転軸
ＧＡ  フレーム３２の間隙部
ＨＳ  幅狭部
ＷＯ  作業者
【図１】
2019203307.tif 000003
【図２】
2019203307.tif 000004
【図３】
2019203307.tif 000005
【図４】
2019203307.tif 000006
【図５】
2019203307.tif 000007
【図６】
2019203307.tif 000008
【図７】
2019203307.tif 000009
【図８】
2019203307.tif 000010
【図９】
2019203307.tif 000011
【図１０】
2019203307.tif 000012
【図１１】
2019203307.tif 000013
【図１２】
2019203307.tif 000014
【図１３】
2019203307.tif 000015
【図１４】
2019203307.tif 000016
【図１５】
2019203307.tif 000017
【図１６】
2019203307.tif 000018
【図１７】
2019203307.tif 000019
【図１８】
2019203307.tif 000020
【図１９】
2019203307.tif 000021
【図２０】
2019203307.tif 000022